(57)【要約】【課題】  本発明は厨房器具等に付着した固着汚れを洗浄するのに有効かつ簡便な固着汚れ洗浄用クリーナーを得ることを目的とする。【解決手段】  本発明のクリーナー１０は、植毛群４を有するブラシ部２と、固着汚れ洗浄用の洗剤１Ａを満たす容器１とを備え、前記ブラシ部２をなす刷毛は、毛腰強さが３Ｎ／cm２  〜１００Ｎ／cm２  の範囲内であり、前記容器１には、洗剤１Ａの注出口６と、これを手動で開閉できる開閉部７が設けられている。【選択図】図１
2005205180.tif 000002
【特許請求の範囲】
【請求項１】
固着汚れ洗浄用洗剤が収められる容器と、この容器の頭部に一体に設けられたブラシ部を備え、
上記容器には、その頭部付近に上記洗剤を注ぎ出す注出口と、この注出口を開閉する開閉部が設けられており、
上記ブラシ部に植毛された刷毛のＪＩＳ  Ｓ３０１６による毛腰強度が３〜１００Ｎ／ｃｍ２であることを特徴とする固着汚れ洗浄用クリーナー。
【請求項２】
上記ブラシ部が、広部とこの広部から接続部を介して外方に延出する細部とからなり、全体として平板状であって、
上記細部は、全体として細長い形状であり、その短手方向の部分で上記接続部に接続されており、上記接続部の幅が細部の長手方向の長さよりも短くされていることを特徴とする請求項１記載の固着汚れ洗浄用クリーナー。
【請求項３】
上記広部の接続部側が鋭角となっている請求項２記載の固着汚れ洗浄用クリーナー。
【請求項４】
上記ブラシ部が、広部とこの広部の側方に設けられた側部からなり、側部に植毛された刷毛の方向と広部に植毛された刷毛の方向とが異なっていることを特徴とする請求項１記載の固着汚れ洗浄用クリーナー。
【請求項５】
上記容器の胴部には、上記開閉部を開閉する開閉操作部が設けられていることを特徴とする請求項１記載の固着汚れ洗浄用クリーナー。
【請求項６】
上記開閉操作部がレバーを備え、このレバーの先端に上記開閉部が設けられており、レバーをスライドまたは回動させて注出口を開閉するようにしたことを特徴とする請求項５記載の固着汚れ洗浄用クリーナー。
【請求項７】
上記容器の胴部の横断面形状が略楕円形であり、長径が４０〜５０ｍｍ、短径が３０〜４０ｍｍであることを特徴とする請求項１記載の固着汚れ洗浄用クリーナー。
【請求項８】
上記洗剤には、研磨剤が含まれていることを特徴とする請求項１記載の固着汚れ洗浄用クリーナー。
【請求項９】
上記洗剤のｐＨが９以上であることを特徴とする請求項１記載の固着汚れ洗浄用クリーナー。
【発明の詳細な説明】
【技術分野】
【０００１】
本発明は、ガスレンジなどの厨房器具や浴室の排水金具などに付着した固着汚れを洗浄するための洗浄用クリーナーに関する。
【背景技術】
【０００２】
従来から、衣料に付着した部分汚れ等を洗浄除去する目的で、衣料用の洗剤を満たした容器の注出口の周囲に刷毛の群を植毛したブラシ付きクリーナーが知られている。（例えば、以下の特許文献１，２，３，および４を参照のこと。）
【特許文献１】特開２０００−１４２７７０号公報
【特許文献２】特開２０００−１７７７６７号公報
【特許文献３】特開平１１−６１１９６号公報
【特許文献４】特表２０００−５０４９６９号公報
【発明の開示】
【発明が解決しようとする課題】
【０００３】
前記の植毛群を備えたクリーナーは、洗浄対象物が衣類等の繊維製品であるため、布地を傷めないように柔らかい植毛が用いられ、また洗剤も穏和な中性洗剤が用いられている。一方、厨房などの調理場等においては、レンジのこんろ周りや五徳、焼き網等、硬質で複雑な表面形状を有する種々の器具に焦げ付き、油汚れ、こびり付き等の固形物を伴う重質な汚れが付着しがちであり、一旦これらが付着すると、熱や酸化によって油脂、タンパク質、炭水化物等が樹脂化又は炭化し、固い撥水性の表皮を形成する。
【０００４】
これらの固着汚れは、布巾等に洗剤を浸み込ませて拭き取ろうとしても洗浄が極めて困難であり、洗浄のために多大な労力と時間を要し、しかもこれらの器具の継ぎ目や隅部に残存した固着汚れを満足に除去することができず、次第に蓄積して美観や熱効率を損なうばかりでなく、場合によっては孔やスリットを通して汚れが容器内に入り、内容物の汚染につながるおそれがある。
これらの固着汚れを仮に前記の衣料用のブラシ付きクリーナーで除去しようとしても、刷毛が柔らかすぎる上に洗剤の洗浄力は非力であり、ほとんど効果が得られない。厨房器具等を清浄に保つためには前記の固着汚れが付着次第、こまめに清掃除去することが望ましいので、そのために軽便で有効な固着汚れ洗浄用クリーナーが求められている。
【０００５】
本発明は前記課題を解決するためになされたものであり、従ってその目的は厨房器具等に付着した固着汚れを洗浄するのに有効かつ簡便な固着汚れ洗浄用クリーナーを提供することにある。
【課題を解決するための手段】
【０００６】
かかる課題を解決するため、
請求項１にかかる発明は、固着汚れ洗浄用洗剤が収められる容器と、この容器の頭部に一体に設けられたブラシ部を備え、
上記容器には、その頭部付近に上記洗剤を注ぎ出す注出口と、この注出口を開閉する開閉部が設けられており、
上記ブラシ部に植毛された刷毛のＪＩＳ  Ｓ３０１６による毛腰強度が３〜１００Ｎ／ｃｍ２であることを特徴とする固着汚れ洗浄用クリーナーである。
【０００７】
請求項２にかかる発明は、上記ブラシ部が、広部とこの広部から接続部を介して外方に延出する細部とからなり、全体として平板状であって、
上記細部は、全体として細長い形状であって、その短手方向の部分で上記接続部分に接続されており、上記接続部の幅が細部の長手方向の長さよりも短くされていることを特徴とする請求項１記載の固着汚れ洗浄用クリーナーである。
【０００８】
請求項３にかかる発明は、上記広部の接続部側が鋭角となっている請求項２記載の固着汚れ洗浄用クリーナーである。
請求項４にかかる発明は、上記ブラシ部が、広部とこの広部の側方に設けられた側部からなり、側部に植毛された刷毛の方向と広部に植毛された刷毛の方向とが異なっていることを特徴とする請求項１記載の固着汚れ洗浄用クリーナーである。
【０００９】
請求項５にかかる発明は、上記容器の胴部には、上記開閉部を開閉する開閉操作部が設けられていることを特徴とする請求項１記載の固着汚れ洗浄用クリーナーである。
請求項６にかかる発明は、上記開閉操作部がレバーを備え、このレバーの先端に上記開閉部部が設けられており、レバーをスライドまたは回動させて注出口を開閉するようにしたことを特徴とする請求項５記載の固着汚れ洗浄用クリーナーである。
【００１０】
請求項７にかかる発明は、上記容器の胴部の横断面形状が略楕円形であり、長径が４０〜５０ｍｍ、短径が３０〜４０ｍｍであることを特徴とする請求項１記載の固着汚れ洗浄用クリーナーである。
請求項８にかかる発明は、上記洗剤には、研磨剤が含まれていることを特徴とする請求項１記載の固着汚れ洗浄用クリーナーである。
請求項９にかかる発明は、上記洗剤のｐＨが９以上であることを特徴とする請求項１記載の固着汚れ洗浄用クリーナーである。
【発明の効果】
【００１１】
本発明の固着汚れ洗浄用クリーナーにあっては、ブラシ部をなす刷毛の毛腰強度が３〜１００Ｎ／ｃｍ２の範囲内であるので、レンジのこんろ周りや五徳、焼き網等、硬質で複雑な表面形状を有する器具に頑固に付着した焦げ付き、油汚れ、こびり付き等の固着汚れを掻き落として容易に除去することができる。
また、洗剤として固着汚れ洗浄専用のものを用いれば、固着物を膨潤させ、または化学的に分解して軟化させ、あるいは機械的に研磨して、ブラシ部で容易に洗浄できるようになる。
【００１２】
また、洗剤容器の注出口を開閉する開閉部が設けられているので、洗浄作業中随時注出口を開いて適量の洗剤を汚れ部分に向けて注出することができ、開閉部を閉じることで洗剤容器を倒立した状態でも内容液が無駄に流出することがない。
特に、汚れ部分が固着された洗浄し難い汚れであった場合、洗剤容器を強く握って力を込めてブラシ部で擦ることになるので、注出口を閉じておくことで洗剤容器から余分な洗剤が溢れ出ないようにすることができる。また、開閉部を閉じれば、洗剤容器を正立した際に、ブラシ部とその周囲部分に付着して汚染された洗浄液が容器内に逆流するおそれもない。
【００１３】
また、ブラシ部が広部と細部あるいは広部と側部とからなるものでは、この細部あるいは側部を被洗浄物の狭い細部や隅部に挿入して擦ることにより、その部分に付着した固着汚れを容易に掻き落とすことができ、広部が広い洗浄面を効率よく洗浄する。このため、細かい洗浄面と広い洗浄面が混在している台所や浴室などにおける被洗浄物を手際よく短時間で洗浄できる。
また、開閉操作部が容器の胴部に設けられているものでは、注出口を開閉部で開閉するのに、胴部を握ったままで操作でき、手を汚すことがなく、作業中でも直ちに洗剤を注出でき、作業を中断することもない。
【００１４】
さらに、容器の胴部の横断面形状を略楕円形とし、長径を４０〜５０ｍｍとし、短径を３０〜４０ｍｍとしたものでは、容器が握りやすく、ブラシ部で被洗浄面を擦る際に十分に力を入れることができる。また、胴部に設けられた開閉操作部を握った手の指で容易に操作できるようにもなる。
また、洗剤が研磨剤を含んでいるものでは、膜状に付着した固着汚れを機械的に研磨して容易に擦り落とすことができる。
さらに、洗剤のｐＨが９以上にものでは、特に油脂系の固着汚れが分解し軟化するので、必要以上に擦らなくても汚れ部分とその周囲を容易に洗浄できるようになる。
【発明を実施するための最良の形態】
【００１５】
次に本発明の固着汚れ洗浄用クリーナーの第１実施形態について図面を参照して説明する。以下、本発明の固着汚れ洗浄用クリーナーを単に「クリーナー」と称する。
図１は第１実施形態のクリーナーを倒立した状態を示す斜視図である。更に詳しくは、第１実施形態のクリーナーを使用のため倒立し、かつ注出口の開閉手段を開いた状態を示している。
【００１６】
図１において本実施形態のクリーナー１０は、ポリエチレンなどの樹脂製の容器１とブラシ部２とを備えている。ブラシ部２は、キャップ部３から斜め方向に延びて一体に成形され、キャップ部３は図示しないネジ部により容器１の口部に着脱自由にかつ水密に連結されている。容器１には固着汚れ洗浄用洗剤１Ａが充填されている。
【００１７】
前記容器１は、筒状の容器胴部１ａと、容器胴部１ａの頭部の開口を塞ぐキャップ部３とから構成されている。このキャップ部３には、上方に突出した小径筒状のノズル部５が設けられている。また、キャップ部３の上部には、これと一体的に設けられた台状の支持部３ａが形成され、この支持部３ａ上にブラシ部２が一体に設けられている。
前記胴部１ａは、その横断面形状が概略楕円形となっており、その長径が４０〜５０ｍｍ、短径が３０〜４０ｍｍとなって、片手で握りやすい形状となっている。
【００１８】
前記ブラシ部２には、多数の植毛束４ａ…が支持部３ａに植毛されて植毛群４が形成されている。この植毛群４の平面形状は、先端部４ｂを頂点とする概略平面視鋭角三角形をなし、先端部４ｂの角度αはこの形態では４０度程度である。  また、植毛束４ａ…を構成する刷毛は、ナイロン６（商標）樹脂などからなるもので、毛腰の強さ（ＪＩＳ  Ｓ３０１６により測定）が３〜１００Ｎ／ｃｍ２、このましくは３〜５５Ｎ／ｃｍ２であり、長さが１０〜２０ｍｍであり、かつ太さが０．２〜０．４ｍｍである。また、刷毛の植毛密度は、面積１ｃｍ２当たり１００〜１０００本となっている。
【００１９】
前記キャップ部３の中央から、頂部５ａがドーム型に成形されたノズル部５が突出形成され、このノズル部５の先端部頂点部分に容器内の洗剤１Ａを注出するための注出口６が開口されている。
またノズル部５の対向する両側壁に軸支されて、注出口６を覆うようにマスク状の開閉部７が装着されている。この開閉部７はその両端部７ｂをノズル部５の両側壁に支持された状態でその中央部７ｃで注出口６を横切る方向に揺動可能であり、この揺動により注出口６を開閉できるようになっている。
なお、開閉部７には、刷毛に触れず指による開閉を容易にするためにブラシ部２側と反対側に図１の鎖線に示すように延びる突起状のレバー状の開閉操作部７ａを設けてもよい。
【００２０】
本実施形態のクリーナー１０において、注出口６と植毛群４との配置は、クリーナー１０を倒立したとき、垂れ落ちる洗剤１Ａが植毛束４ａ…の少なくとも先端部に到達してこれを濡らすように設計されることが望ましい。
例えば前記植毛群４は、その末端部４ｃが円筒状のノズル部５に対して所定の間隔をあけるように凹部型にカーブしていることが望ましい。この間隔は使用者の指の太さよりも若干大きく設定されることが望ましい。また、末端部４ｃを凹部型にカーブさせることでノズル部５から後述の如く滴下される洗剤を確実に植毛群４の末端部４ｃで受けることができ、この凹部型のカーブ部分で受けた洗剤は速やかに植毛群４に染みこんで植毛群４の先端部側に到達できる。
【００２１】
また、固着汚れ洗浄洗剤としては、界面活性剤を主成分として含み、焦げ付き等の炭化した固着汚れをよく落とすために、炭酸カルシウム、けい藻土、タルクなどの研磨剤を含んだものが用いられる。好ましい組成例を以下に示す。
炭酸カルシウム；５０重量部、ラウリルベンゼンスルホン酸ナトリウム；３重量部、ヤシ脂肪酸ジエタノールアミド；３重量部、クエン酸；０.５重量部、防腐剤；０．１重量部、香料；０．２重量部、水酸化ナトリウム；適量、精製水；バランス。
さらに、固着汚れ洗浄洗剤としては、樹脂化した油汚れ等の固着汚れをよく落とすために、苛性ソーダなどのアルカリ剤を配合して、そのｐＨが９以上であるものも用いられる。好ましい組成例を以下に示す。
トリエタノールアミン；７重量部、ジエチレングリコールモノブチルエーテル；３重量部、アルキルジメチルアミンオキシド；１重量部、防腐剤；０．１重量部、香料；０．２重量部、精製水；バランス。この組成の洗剤のｐＨは１０．２である。
【００２２】
本実施形態のクリーナー１０は、例えば以下のように使用する。
先ずレバー部材７ａを指で操作して開閉部７を動かし、注出口６を露出させる。なお、開閉操作部７ａを設けない場合は開閉部７の中央部７ｃを直接指で操作して動かせば良い。
次に、図１に示すようにクリーナー１０を倒立し、容器１の胴部を軽く押圧すると、容器壁が凹むことにより注出口６から洗剤１Ａが流出する。流出した洗剤は植毛群４の側面に垂れ落ち、毛先を濡らす。適量の洗剤１Ａを滴下した後は容器１の押圧を解除すると、ポリエチレン製の洗剤容器１は可撓性であるから復元する際に空気を吸い込み内圧が調整される。この状態でも容器を押圧しなければ余分の洗剤は流出しないが、洗浄作業中は注出口６を開閉部７で閉じておけば不用意に容器を押圧しても洗剤が無駄に流出することはない。
【００２３】
植毛群４の毛先が濡れた状態で被洗浄物に固着した汚れ（固着汚れ）Ｓを擦ると、洗剤１Ａは塩基性であるから油脂系の固着汚れを分解し軟化させ、適度な剛性の刷毛が軟化した固着汚れを掻き取って洗浄する。また、植毛群４の先端部４ｂは鋭角になっているので、レンジのこんろ周りや五徳、焼き網等の隅部や凹部にも毛先が行き届き、汚れを取り残すことがない。
【００２４】
上記構造のクリーナー１０において、植毛群４の末端部４ｃが円筒状のノズル部５に対して所定の間隔をあけるように凹部型にカーブしていると、開閉部材７を指で操作した場合に植毛群４の末端部４ｃに指が触れるおそれが少ない。これにより、クリーナー１０を繰り返し使用しても、指先を汚すおそれを極めて少なくしながら洗浄作業ができる。これにより、クリーナー１０を用いて定期的に繰り返し種々の場所で洗浄作業を行った場合であっても、常に指先を汚すことなく洗浄作業を行うことができ、清潔で良好な使用感触を得ることができるクリーナー１０を提供できる。
【００２５】
また、末端部４ｃを凹部型にカーブさせることでノズル部５から滴下された洗剤を確実に植毛群４の末端部４ｃで受けることができ、この凹部型のカーブの部分で受けた洗剤を速やかに植毛群４の内側に染み込ませることができ、更に植毛群４の先端部側に洗剤を確実に到達させることができる。
【００２６】
図２は、本発明の第２の実施形態を示す斜視図である。
図２において本発明に係るクリーナー２０は、ポリエチレンなどの合成樹脂製の容器１とブラシ部２とを備えている。ブラシ部２は円盤状に成形され、キャップ部３に同心的にかつ回動可能に連結されている。キャップ部３は図示しないネジ部により洗剤容器１に着脱自由にかつ水密に連結されている。容器１には先に説明した第１の実施形態と同様の洗剤１Ａが充填されている。
【００２７】
ブラシ部２には多数の植毛束４ａ…が植毛されて植毛群４を形成している。この植毛群４の平面形状は、先端部４ｂを頂点とする平面視概略鋭角三角形をなし、先端部４ｂの角度は４０度程度である。植毛束４ａ…の毛腰の強さ、長さ、植毛密度は、先の実施形態の場合と同じである。
ブラシ部２には、植毛束４ａ…に囲まれるようにノズル部５が突出されている。このノズル部５は、ブラシ部２の回動中心から偏心した位置に設けられ、液通路５ａがキャップ部３まで延びている。キャップ部３には、ブラシ部２を相対的に回動したとき液通路５ａと連通する位置に、液通路５ａと洗剤容器１とを連絡する注出口６が開口されている。
【００２８】
本実施形態のクリーナー２０は、ブラシ部２とキャップ部３とを相対的に回動することにより注出口６の開閉が可能である。その結果、ブラシ部２の底面が手動で開閉できる開閉部となっている。ノズル５が植毛束４ａ…に囲まれているので、洗剤１Ａを注出したとき、直ちに洗剤を刷毛に供給することができる。
また本クリーナー２０においては、植毛の毛足が先端部４ｂで最も長いので器具の複雑な隅部まで刷毛先を届かせることができ、また毛足が短くされた部分は剛性がより高いので器具に付着した強固な焦げ付き等を掻き落とすのに便利である。
【００２９】
次に、本発明のクリーナーの第３実施形態について、説明する。
図３に示した実施形態にあっては、図１に示したクリーナーと同一構成部分には同一符号を付してその説明を簡略化する。この実施形態では、容器１の頭部１ｂが細く縮径され、かつ斜めに傾斜している。また、キャップ部３の先端に基台３１が設けられ、この基台３１には、円筒状のノズル部５がこれから突出して設けられている。
【００３０】
また、ノズル部５の先端には注出口６が形成され、この注出口６を開閉する開閉部７が設けられている。さらに、基台３１の上部にはブラシ部２がこれと一体に設けられている。ここでのブラシ部２は、広部２１とこの広部２１から接続部２３を介して外方に延出した細部２２とからなり、全体が平板状の形状となっているものである。この広部２１と細部２２と接続部２３とからなるブラシ部２の平面形状は、各種の形態を取ることができ、以下にこれらの形態を示す。
【００３１】
図４は、これら各種の形態におけるブラシ部２の平面形状を例示したもので、この図ではブラシ部２に植毛された刷毛を省略して描いてある。
図４（ａ）に示したブラシ部２は、広部２１の基部が長方形であり、接続部２３側の部分は台形となっている。また、細部２２は、長方形となっている。この細部２２は、その短辺で接続部２３を介して広部２１に繋がっている。そして、接続部２３の幅は、細部２２をなす長方形の長辺の長さよりも短くなっており、外観上は、広部２１の先端から細長い細部２２が延び出した状態となっている。
【００３２】
そして、細部２２の長手方向の長さは、１〜２０ｍｍとなっており、２０ｍｍを越えると狭い被洗浄部位に対する使用性、使い勝手が悪くなる。１ｍｍ未満では製造が不可能である。
この例の細部２２での長手方向の長さは、例えば３０ｍｍとなっており、短手方向の長さが例えば１０ｍｍとなっており、接続部２３の幅が例えば１０ｍｍとなっている。
【００３３】
図４（ｂ）に示したブラシ部２は、広部２１が正方形である以外は、図３（ａ）に示したものと同様である。
この例の細部２２での長手方向の長さは、例えば２０ｍｍであり、短手方向の長さは、１０ｍｍで、接続部２３の幅は、例えば１０ｍｍとなっている。
【００３４】
図４（ｃ）に示したブラシ部２は、広部２１が円で、細部２２が略長円であり、この長円の曲率半径の小さな円弧の部分で接続部２３を介して広部２１に繋がっている。また、細部２２の長手方向の長さは、接続部２３の幅よりも長くなっている。この例の細部２２の長手方向の長さは、例えば１２ｍｍで、短手方向の長さは、例えば８ｍｍで、接続部２３の幅は、例えば８ｍｍとなっている。
【００３５】
図４（ｄ）に示したブラシ部２は、広部２１の接続部２３側の部分がほぼ半円形となっており、細部２２は、長円であって、接続部２３が広部２１から延出した形状となっている。この例においても細部２２の長手方向の長さは、接続部２３の幅よりも長くなっている。細部２２の長手方向の長さは、例えば１５ｍｍで、短手方向の長さは、例えば６ｍｍで、接続部２３の幅は５ｍｍである。
【００３６】
このような実施形態にあっては、ブラシ部２の広部２１が平坦で広い面積の被洗浄面に対応し、細部２２が狭く、入り込んだ被洗浄面に対応することができ、広い被洗浄部位と、狭い被洗浄部位とが混在している台所のレンジまわり、浴室の水栓まわりなどで、効率よく使用することができる。
【００３７】
図５は、本発明のクリーナーの第４の実施形態の要部を示すものである。この実施形態におけるブラシ部２は、広部２１と側部２４とから構成されている。図５（ａ）に示したブラシ部２は、その側部２４が広部２１の前方側の側壁部分に設けられたもので、広部２１に植毛された刷毛と同様の刷毛が植毛されたなるものである。この側部２４の刷毛の方向と、広部２１の刷毛の方向とは、図示のように、その角度が約９０度異なっており、広部２１の前方に突き出した状態となっている。側部２４の長さは、例えば２０ｍｍ程度で、幅は例えば１５ｍｍ程度となっている。
【００３８】
図５（ｂ）に示したブラシ部２では、側部２４が広部２１の前方側の側壁部分から斜め上方に前方に向けて刷毛が植毛されて形成されたものであり、広部２１の刷毛の方向と側部２４の刷毛の方向との角度が約１２０度となっている。側部２４の長さは、例えば    ｍｍ程度で、幅は例えば１５ｍｍ程度とされる。
【００３９】
この実施形態にあっても、ブラシ部２の広部２１が平坦で広い面積の被洗浄面に対応し、側部２４が狭く、入り込んだ被洗浄面に対応することができ、広い被洗浄部位と、狭い被洗浄部位とが混在している箇所などで、効率よく使用することができる。
【００４０】
図６は、本発明のクリーナーの第５の実施形態を示すものである。
この実施形態にあっては、注出口６を開閉するボール状の開閉部７がノズル５の内部に設けられており、この開閉部７を開閉操作する開閉操作部としてのスライド式の開閉スイッチ７１が容器１の胴部１ａに設けられており、開閉スイッチ７１と開閉部７とが連結レバー７２で連結されている。このものでは、開閉スイッチ７１を上下にスライドさせることで、開閉部７が上下し、注出口６が開閉するようになっている。
【００４１】
このような実施形態では、注出口６の開閉操作を容器１の胴部１ａにおいて行うことができ、開閉操作に伴って、手指を洗剤で汚すことがない。また、胴部を握った手の指先で開閉スイッチ７１を操作できるので、ブラシ部２による洗浄作業中でもこの作業を中断することなく、洗剤をブラシ部２に供給することができ、使い勝手が良好となる。
【００４２】
図７は、第６の実施形態を示すもので、この形態のクリーナーでは、図７（ａ）に示すように、容器１の胴部１ａにスライドタイプの開閉スイッチ７１（開閉操作部）が設けられており、この開閉スイッチ７１の上部に連結レバー７２が連続して設けられており、この連結レバー７２の上端部には開閉部７が形成されている。
また、ブラシ部２の基端側には、ノズル部５が設けられ、このノズル部５の先端には、洗剤の注出口６が形成されており、この注出口６を上記開閉部７が開閉するようになっている。
【００４３】
このクリーナーでは、図７（ｂ）に示すように、開閉スイッチ７１を下方にスライドさせることにより、開閉部７が注出口６から外れ、注出口６が露出し、容器１内の洗剤を注出口６から注ぎ出すことができる。また、この状態から、開閉スイッチ７１を上方にスライドさせれば、注出口６が開閉部７で塞がれ、洗剤が流れ出すことがない。
【００４４】
この実施形態のクリーナーにあっても、先のものと同様に、注出口６の開閉操作を容器１の胴部１ａにおいて行うことができ、開閉操作に伴って、手指を洗剤で汚すことがない。また、胴部を握った手の指先で開閉スイッチ７１を操作できるので、ブラシ部２による洗浄作業中でもこの作業を中断することなく、洗剤をブラシ部２に供給することができ、使い勝手が良好となる。
【００４５】
図８は、第７の実施形態を示すもので、このものでは、容器１の胴部１ａに半球状の支持突起７４が設けられ、この支持突起７４には、シーソー状の連結レバー７２のほぼ中間部分が回動可能に取り付けられている。この連結レバー７２の支持突起７４よりも下方側の部分は開閉操作部となる開閉レバー７５とされ、支持突起７４よりも上方側の部分の上端部は開閉部７となっている。
また、ブラシ部２の基端側には、直接これを貫通して、洗剤の注出口６が形成されており、この注出口６を上記開閉部７が開閉するようになっている。
【００４６】
このクリーナーでは、図８（ｂ）に示すように、開閉レバー７５を容器１の胴部１ａ方向に押圧することで、上記開閉部７が外側に回動して注出口６から離れ、洗剤を注ぎ出すことができる。また、開閉レバー７５をこの状態から、胴部１ａから離れるように操作することで、開閉部７が内側に回動して注出口６を閉じることになる。
【００４７】
この実施形態のクリーナーにあっても、先のものと同様に、注出口６の開閉操作を容器１の胴部１ａにおいて行うことができ、開閉操作に伴って、手指を洗剤で汚すことがない。また、胴部を握った手の指先で開閉スイッチ７１を操作できるので、ブラシ部２による洗浄作業中でもこの作業を中断することなく、洗剤をブラシ部２に供給することができ、使い勝手が良好となる。
【００４８】
以下、具体例を示す。
図１に示したクリーナー１０について、その洗浄性等の試験を行った。比較のため実施形態で示したクリーナー１０における各種構成要素の特性を変化させたクリーナーも試作し、併せて試験した。
【００４９】
「洗浄力評価」：（ａ）焦げ付き汚れと（ｂ）固着油汚れについて評価した。
（ａ）焦げ付きモデル汚れの調製：水、小麦粉（日清フーズ（株）  日清フラワー薄力小麦粉）、サラダ油（日清製油（株）  日清サラダ油）の１：１：１混練物をステンレス板（１００ｍｍ×１５０ｍｍ）に２ｇ塗布し、乾燥機（ヤマト科学（株）製  送風定温恒温器  ＤＫ８１０）を用いて８０℃で３０分乾燥し、次いで２００℃で１時間焼成して調製した。
（ｂ）固着油モデル汚れの調製：サラダ油（日清製油（株）  日清サラダ油）をステンレス板（１００ｍｍ×１５０ｍｍ）に２ｇ塗布し、乾燥機（ヤマト科学（株）製  送風定温恒温器  ＤＫ８１０）を用いて１２０℃で４時間焼成した後、７日間常温放置して調製した。
【００５０】
試験方法：研磨試験機（Ishiyama研磨試験機、荷重４.４１Ｎ）に試作クリーナーのブラシ部を装着し、洗剤１mlを各モデル汚れに滴下し、（ａ）焦げ付き汚れに対しては研磨回数１００回、（ｂ）固着油汚れに対しては研磨回数５回で結果を視触により評価した。
評価基準を表５に示す。なお、素地を損傷したものは×とした。
試験に用いた各構成要素の特性を以下の表に示す。
【００５１】
表１は、焦げ付き汚れの研磨１００回後の評価基準と油汚れの研磨５回後の評価基準を示す。表２は、試験に用いた各ブラシ番号の植毛の毛腰強度、用毛長さ、及び用毛太さを示している。毛腰の強さはＪＩＳ  Ｓ３０１６に準拠して測定した。
【００５２】
表３は、焦げ付き汚れを研磨した場合に洗剤組成に応じたブラシ毎の試験結果を示している。表４は、油汚れを研磨した場合に洗剤組成に応じたブラシ毎の試験結果を示している。表５は、試験に用いた洗剤の組成及びｐＨを示している。
【００５３】
【表１】
2005205180.tif 000003
【００５４】
【表２】
2005205180.tif 000004
【００５５】
【表３】
2005205180.tif 000005
【００５６】
【表４】
2005205180.tif 000006
【００５７】
【表５】
2005205180.tif 000007
【００５８】
「隅部洗浄能」：ＪＩＳ  Ｚ８９０１記載の「試験用ダスト７種」をエタノールに溶解し、この約３mlを市販の五徳全体に均一に散布し、室温に５分放置したものを検体とした。検体の突起立ち上がり部付け根の隅を試作クリーナーで１０回擦り、隅部洗浄能を目視により評価した。評価基準を下に示す。なお、この試験では洗浄能力について粉の残り状態を把握することで毛先が隅部に届いているかどうか評価している。
○；汚れが残らない、△；凹部等にやや汚れが残る、×；汚れが残る。
隅部洗浄能についての評価結果を表６に示す。
【００５９】
【表６】
2005205180.tif 000008
【００６０】
表３〜表４の結果からわかるように、固着汚れ用洗剤を用い、かつ毛腰の強さが３Ｎ／ｃｍ２  〜１００Ｎ／ｃｍ２  の範囲内である刷毛を用いた各実施例のクリーナーはいずれも、焦げ付き汚れ、固着油汚れ、隅部洗浄能の総合評価において、前記範囲外の比較例より優れた評価結果が得られた。
また、表６に示す結果から植毛群の平面視形状は先端側が鋭角状であることが、隅部を洗浄する場合に望ましいことも判明した。
【００６１】
なお、表２において用毛太さ１ｍｉｌは０．０２５ｍｍに相当するので、４ｍｉｌ＝０．１ｍｍ、８ｍｉｌ＝０．２ｍｍ、１０ｍｉｌ＝０．２５ｍｍ、１３ｍｉｌ＝０．３２５ｍｍ、２０ｍｉｌ＝０．５ｍｍを意味する。表２〜表４に示す結果を考察すると、毛腰強度２．９Ｎ／ｃｍ２のものでは洗剤を変えても焦げ付き汚れは洗浄できない。このため毛腰強度は３Ｎ／ｃｍ２以上必要であると判断した。表２に示すように、毛腰強度３〜５５．５Ｎ／ｃｍ２の範囲では確実に洗浄力に優れることが判明した。
【００６２】
なお、毛腰強度が１１０Ｎ／ｃｍ２の刷毛を用いて得られたブラシを有するものを試作して先のステンレス板に変えて五徳（東京ガス（株）製ガスレンジ台  型番ＲＮ−Ｔ２４６Ｐ−ＣＨＬ（Ｒ）Ａに付属の五徳）に形成した焦げ付き汚れの洗浄を行ってみたが、洗浄面にフィットせず、擦り残りが生じた。このため、毛腰強度の上限は１００Ｎ／ｃｍ２と判断した。
【００６３】
次に、ブラシ部の細部についての使用性を評価した。
細部のみからなるブラシ部を試作し、これを装着した試作クリーナーを用いた。細部の平面形状およびその寸法を表７に示した。
【００６４】
【表７】
2005205180.tif 000009
【００６５】
ＪＩＳ  Ｚ８９０１に記載の「試験用ダスト７種」をエタノールに分散し、これの約３ｍｌを（１）市販の五徳、（２）浴室水栓まわり、の全体に散布し、室温に５分間放置したものを検体とした。
（１）五徳は、突起立ち上がり部の付け根の隅を、（２）水栓まわりは、水栓の付け根付近を試作クリーナーで１０回擦り、隅部洗浄能を目視により観察し、粉の残り状態を把握することで毛先が隅部に届いているかどうかを評価した。
【００６６】
結果を表７に示した。
評価基準は、○：汚れが取れる  △；汚れがまあまあ取れる  ×；汚れが残る
とした。
表７の結果から、細部は、平面形状が細長い形状で、短手方向の長さが２０ｍｍ以下であるものが、使用性が良いことがわかる。
【００６７】
次に、表７におけるタイプＦの細部のみを有するブラシ部を備えた試作クリーナーを用いて焦げ付き汚れに対する洗浄性を評価した。
細部をなす刷毛の太さ、長さ、毛腰強度を表８に示す。
また、洗剤の組成を表９に示す。
【００６８】
【表８】
2005205180.tif 000010
【００６９】
【表９】
2005205180.tif 000011
【００７０】
焦げ付き汚れの調製
水、小麦粉（薄力粉）、サラダ油の１：１：１の混練物をステンレス鋼板（１５０ｍｍ×１５０ｍｍ）に２ｇ塗布し、乾燥機内で８０℃、３０分乾燥し、さらに２００℃、１時間焼成して焦げ付き汚れを作成した。
【００７１】
試験方法
研磨試験器（Ｉｓｈｉｙａｍａ  研磨試験器  荷重４．４１Ｎ）に試作クリーナーのブラシ部を装着し、洗剤１ｍｌを焦げ付き汚れに滴下し、研磨回数１００回で結果を視触により評価した。
結果を表１０に示す。
評価基準は、○；ざらつきがない  △；ややざらついている  ×；ざらついているとした。
【００７２】
【表１０】
2005205180.tif 000012
【００７３】
表１０の結果から、刷毛の毛腰強度が３Ｎ／ｃｍ２未満では洗浄力が悪く、また研磨剤が配合されていない洗剤では、やはり焦げ付き汚れを落とすことはできないことがわかる。
【産業上の利用可能性】
【００７４】
本発明の固着汚れ洗浄用クリーナーは、家庭用厨房器具、業務用厨房器具、その他焦げ付きや油汚れを発生する各種器具、装置、設備等を洗浄する洗剤・ブラシ一体型クリーナーとして有効に利用可能である。
【図面の簡単な説明】
【００７５】
【図１】本発明に係るクリーナーの第１の実施形態を示す斜視図である。
【図２】本発明に係るクリーナーの第２の実施形態を示す斜視図である。
【図３】本発明に係るクリーナーの第３の実施形態を示す斜視図である。
【図４】本発明におけるブラシ部の平面形状を示す概略平面図である。
【図５】本発明に係るクリーナーの第４の実施形態の要部を示す斜視図である。
【図６】本発明に係るクリーナーの第５の実施形態を示す斜視図である。
【図７】本発明に係るクリーナーの第６の実施形態を示す斜視図である。
【図８】本発明に係るクリーナーの第７の実施形態を示す斜視図である。
【符号の説明】
【００７６】
１０，２０…クリーナー、１…容器、１ａ…容器胴部、２…ブラシ部、３…キャップ部、３ａ…支持部、４…植毛群、４ｂ…先端部、５…ノズル部、６…注出口、７…開閉部、２１…広部、２２…細部、２３…接続部、７１…開閉スイッチ（開閉操作部）
【図１】
2005205180.tif 000013
【図２】
2005205180.tif 000014
【図３】
2005205180.tif 000015
【図４】
2005205180.tif 000016
【図５】
2005205180.tif 000017
【図６】
2005205180.tif 000018
【図７】
2005205180.tif 000019
【図８】
2005205180.tif 000020